(57)【要約】【課題】贈呈品や土産物等とするのにも利便な小型の凧であって、子供でも容易に調整することができる糸目構造を有すると共に張り糸を不要とすることによって凧揚げの操作を簡単にし、スペースの狭い場所でも従来の凧と同様に十分の高さまで飛翔させることができる凧を提供する。【解決手段】合成樹脂製による骨組の表面に薄厚の用紙を貼着した凧を構成することによって張り糸がなくても凧の曲面の大きさを合成樹脂の変形によって調整することができ、骨組の幅方向の中心であって骨組の上部の位置から表側に向かって起立可能に形成した細径且つ長尺の糸目ステーを形成すると共に、糸目ステーの先端の糸止め部に切れ目を形成し、糸止め部の下方に凧糸を通す小径の糸止め穴を形成し、糸止め穴に凧糸を係止して凧の表面側に通過させた凧糸を糸止め部の切れ目に引っ掛け、この引っ掛け位置を変えることによって糸目中心の位置を調整可能にした。【選択図】図４
2016093373.tif 000002
【特許請求の範囲】
【請求項１】
合成樹脂製による骨組の表面に薄厚の用紙を貼着した凧を構成することによって張り糸がなくても凧に形成する幅方向の曲面の大きさを合成樹脂の変形によって調整することが可能な構造であり、骨組の幅方向の中心であって骨組の上部の位置から表側に向かって起立可能に形成した細径且つ長尺の糸目ステーを骨組と一体の合成樹脂により形成すると共に、糸目ステーの先端に形成した糸止め部に切れ目を形成し、骨組の幅方向の中心であって糸止め部の下方に凧糸を通す小径の糸止め穴を形成した構成を有し、糸止め穴に凧糸の先端を係止して凧の表面側に通過させた凧糸を糸止め部の切れ目に引っ掛け、この引っ掛けた位置を変えることによって糸目中心の位置を調整可能にしたことを特徴とする凧。
【請求項２】
合成樹脂製による凧の骨組は、合成樹脂シートをレーザカットで切り抜くか又は合成樹脂の溶融成形によって、糸目ステーを含む一体形状に形成してなることを特徴とする請求項１記載の凧。
【請求項３】
凧の左右の揚力のバランスを取るために、合成樹脂による糸目ステーを左右いずれかに曲げることによって調整可能としたことを特徴とする請求項１又は２記載の凧。
【請求項４】
円周部を有する容器又は包装体に完成した凧を収納して、容器又は包装体の円周部の内周に沿って凧全体を湾曲形状に沿わせることにより、凧の幅方向に曲面を形成するようにしたことを特徴とする請求項１、２又は３記載の凧。
【発明の詳細な説明】
【技術分野】
【０００１】
本発明は、小スペースの公園や空地等でも安全、且つ容易に揚げることができる小型の凧に関する。
【背景技術】
【０００２】
従来から知られている凧は、糸で牽引して揚力を起こすことにより、空中に飛翔させる玩具である。また、日本の伝統的な和凧は、竹製の骨組に和紙を張った構造を有するものであり、長方形の角凧の他、六角形の六角凧、奴の形をした奴凧等が知られている。
【０００３】
ところで、このような凧は、主に正月等の凧揚げとして親しまれてきたが、時代の経過と共に、子供達が町の公園や広場等で凧揚げをしている風景は、ほとんど見られなくなっている。
【０００４】
その原因は、凧揚げをするのに安全な公園や広場等が少なくなったことの他に、従来の凧の構造にも原因があったと考えられる。というのは、従来の凧は、上記のように竹製の骨組に和紙を張った構造を有するものであり、糸で牽引して空中に飛翔させるには、凧の大きさ（揚力が作用する面積）の確保と軽量化とが必要であった。
【０００５】
そこで、従来の凧の構造を検討すると、特許文献１に記載してあるように、直線状の中心縦骨と、これに交差する円弧状の横骨を有する比較的軽量な構造の凧であり、その骨組としては竹材を使用している。このように、軽量であって柔軟性を有する竹材は、従来から凧の骨組に欠かすことのできない材料となっているが、例えば、大人の手の平に収まる程度の小型の凧を作成するためには、竹材であっても、空中に飛翔させる凧の骨組としては重量のありすぎるものとなる。
【０００６】
また、特許文献１に記載してある凧は糸目の構造が凧の中でも最も簡単なものであるが、いずれの構造であっても凧の傾きは、糸目のとり方で調整する構造となっている。即ち、図１２（ａ）に示すように、糸目２０ａ、２０ｂの中心（以下、糸目中心Ｃという）を下側にとる下糸目の場合、凧２１が起き上がった状態（水平に対する傾きが大の状態）となって空気に対する抵抗Ｒが大きくなり、図１２（ｂ）に示すように、糸目中心Ｃを上側にとる上糸目の場合、凧２１が寝た状態（水平に対する傾きが少の状態）になって、空気による揚力Ｌが大きくなるものである。
【０００７】
このような糸目２０ａ、２０ｂの調整によって、弱風に対しては下糸目にし、強風に対しては上糸目にすることにより、凧２１にあたる風圧をコントロールすることによって、凧２１を上手に掲げることが可能となる。ところが、凧２１を揚げる際の風の強弱は微妙であり、糸目の調整もまた感覚的な熟練を必要とするため、特にこの糸目の調整が子供等には難しい作業となるものであった。
【０００８】
さらに、従来の凧には、凧の幅方向に曲面を形成するための張り糸が必要であった。この張り糸は、凧の裏側の両端を連結するように設けたものであり、風が強い際には、張り糸を短く張った状態に調整して凧の曲面を大きくすることにより、凧の前面に当たる風を左右に流すようにする。また、風が弱い際には、張り糸を長く張った状態に調整して凧の曲面を小さくすることにより、凧の前面に当たる風量を多くするものである。従って、張り糸は凧を揚げる際の風の強さに応じて調整するものであり、その張り糸の調整もまた、上記の糸目の調整と共に難しい操作となっていた。
【０００９】
さらに、従来の凧は、上記のように凧の重さに対する揚力を確保するために、一般的に市販されているものでも、用紙のＡ３程度の大きさがあり、屋内に保存をしておく際のスペースの確保もまた困難であった。
【先行技術文献】
【特許文献】
【００１０】
【特許文献１】特開２００９−１７２３６４号公報
【発明の概要】
【発明が解決しようとする課題】
【００１１】
本発明者は、長期にわたる研究の結果、日本の伝統美の一つでもある凧を、贈呈品や土産物等としてより手軽に楽しむことができるように小型の凧とし、さらに子供でも容易に調整することができる糸目構造とし、さらには張り糸を不要とすることによって凧揚げの操作を簡単にし、しかも、スペースの狭い場所でも従来の凧と同様に飛翔させることができる凧を開発するに至った。
【００１２】
従って、本発明は、上記のように、贈呈品や土産物等とするのにも利便な小型の凧であって、子供でも容易に調整することができる糸目構造を有すると共に、張り糸を不要とすることによって凧揚げの操作を簡単にし、しかもスペースの狭い場所でも従来の凧と同様に十分の高さまで飛翔させることができる凧を提供することを目的とする。
【課題を解決するための手段】
【００１３】
上記の目的を達成するために、本発明における請求項１の凧は、合成樹脂製による骨組の表面に薄厚の用紙を貼着した凧を構成することによって張り糸がなくても凧に形成する幅方向の曲面の大きさを合成樹脂の変形によって調整することが可能な構造であり、骨組の幅方向の中心であって骨組の上部の位置から表側に向かって起立可能に形成した細径且つ長尺の糸目ステーを骨組と一体の合成樹脂により形成すると共に、糸目ステーの先端に形成した糸止め部に切れ目を形成し、骨組の幅方向の中心であって糸止め部の下方に凧糸を通す小径の糸止め穴を形成した構成を有し、糸止め穴に凧糸の先端を係止して凧の表面側に通過させた凧糸を糸止め部の切れ目に引っ掛け、この引っ掛けた位置を変えることによって糸目中心の位置を調整可能にしたことを特徴とする。
【００１４】
また、本発明における請求項２の凧は、請求項１において、合成樹脂製による凧の骨組は、合成樹脂シートをレーザカットで切り抜くか又は合成樹脂の溶融成形によって、糸目ステーを含む一体形状に形成してなることを特徴とする。
【００１５】
また、本発明における請求項３の凧は、請求項１又は２において、凧の左右の揚力のバランスを取るために、合成樹脂による糸目ステーを左右いずれかに曲げることによって調整可能としたことを特徴とする。
【００１６】
さらに、本発明における請求項４の凧は、請求項１、２又は３において、円周部を有する容器又は包装体に完成した凧を収納して、容器又は包装体の円周部の内周に沿って凧全体を湾曲形状に沿わせることにより、凧の幅方向に曲面を形成するようにしたことを特徴とする。
【発明の効果】
【００１７】
本発明の凧は、合成樹脂製による骨組の表面に薄厚の用紙を貼着した凧を構成することにより、張り糸がなくても凧に形成する幅方向の曲面の大きさを合成樹脂の変形後の形状保持性によって調整することが可能である。このため、本発明の凧には、従来の凧に設けられていた張り糸が存在せず、風が強い際には、手作業によって凧の曲面が大きくなるように変形し、また風が弱い際には、手作業によって凧の曲面が小さくなるように変形することにより、風の強弱に応じて簡単に凧の曲面の大きさを調整することが可能である。
【００１８】
また、従来の凧に設けられていた上部の糸目（図１２における糸目２０ａ）の代わりに、本発明の凧では骨組と一体的に形成した糸目ステーを設けている。そして、骨組の幅方向の中心であって糸止め部の下方に形成した糸止め穴に凧糸の先端を係止して、この凧糸を凧の表側に通し、糸目ステーの先端に形成した糸止め部の切れ目に引っ掛けた構造としている。このため、凧糸を引くだけで切れ目に引っ掛けた凧糸の位置（糸目中心の位置）を変えることができ、風の強さによって糸目の調整を簡単に行うことができ、上記の張り糸の調整が不要なことと併せて、凧を飛翔させるための操作を簡単に行うことが可能となる。
【００１９】
また、本発明による凧は、合成樹脂製による骨組の表面に薄厚の用紙を貼着した凧であって、上記の糸目ステーもまた骨組と一体的に合成樹脂により形成されている。このため、従来の凧の竹骨よりも細径に形成することができ、凧の全体重量を非常に軽くすることが可能となる。従って、例えば、本発明の凧を大人の手の平に収まるほどの小型に形成した場合でも、実際に飛翔可能な凧とすることが可能であり、スペースの狭い公園や空地などでも、簡単且つ比較的安全に凧揚げをすることが可能となる。
【００２０】
さらに、本発明による凧は、上記のように非常に小型に形成することが可能であるため、小形の容器等に入れて店頭に陳列し、小物の贈呈品や土産物として販売することも可能である。従って、例えば、奴凧のような日本の伝統的な凧を小型化し、また凧の表面に映画やアニメ等のキャラクターをデザインすることによって外国からの訪問者や子供達にも好まれ、また実際に飛ばすことができる小型の凧として販売することも可能である。
【００２１】
また、上記のように本発明の凧を小形の容器等に入れて店頭に陳列する場合、円周部を有する容器又は包装体に完成した凧を収納して、容器又は包装体の円周部の内周に沿って凧全体を湾曲形状に沿わせることにより、凧の幅方向に曲面を形成することが可能となる。従って、容器又は包装体から凧を取り出したとき、凧の幅方向には既に曲面が形成された状態となるため、従来の凧の張り糸が不要であり、凧揚げの際の風の強弱に応じて凧の骨組を手作業で変形させることによって、凧の曲面の大きさを簡単に調整することが可能である。
【図面の簡単な説明】
【００２２】
【図１】（ａ）は本発明の実施例に関する凧の骨組を合成樹脂シートから形成する形態を説明するための平面図であり、（ｂ）及び（ｃ）は（ａ）の一点鎖線で示す拡大図であり、糸目ステーの先端に設けた切れ目と骨組の糸止め穴を説明するための図である。
【図２】（ａ）は本発明の実施例に関する凧の骨組に貼着する用紙の表面図であり、（ｂ）は裏面図である。
【図３】（ａ）は本発明の実施例に関する凧の骨組に用紙を貼着した凧の表面図であり、（ｂ）は裏面図である。
【図４】（ａ）は本発明の実施例に関する凧の骨組に用紙を貼着して風袋を形成し、凧糸を取り付けた状態を示す凧の表面図であり、（ｂ）は裏面図である。
【図５】（ａ）（ｂ）は、本発明の実施例に関する凧の用紙のデザインを説明するための平面図である。
【図６】（ａ）（ｂ）は、本発明による凧の糸目ステーの切れ目に凧糸を引っ掛けてずらすことにより、糸目の調整を行っている状況を示す斜視図である。
【図７】（ａ）(ｂ)は、本発明による凧の糸目中心を風力によって調節するようにした凧の側面図である。
【図８】(ａ)は本発明による凧の足部に隆起状の折り目を形成している凧の平面図であり、(ｂ)は側面図である。
【図９】本発明による凧の飛翔時における風の流れを説明するための図である。
【図１０】（ａ）(ｂ)は、本発明による凧の左右のバランスを調節する説明図であり、凧を上部から見下ろした図である。
【図１１】（ａ）は本発明による凧を小型の容器に収容した状態を示す斜視図であり、(ｂ)は本発明による凧を包装体に収容した状態を示す斜視図である。
【図１２】従来の凧の飛翔状態と糸目中心との関係を説明するための図である。
【発明を実施するための形態】
【００２３】
以下、本発明の実施例について図面を参照しながら説明する。
【実施例】
【００２４】
本実施例の凧は、合成樹脂製による骨組２（図１参照）の表面に薄厚の用紙を貼着した小型の凧について構成したものである。このような構成において、骨組に使用する合成樹脂としては、軽量であって柔軟性且つ変形後の形状保持性に優れたポリプロピレン（ＰＰ）やポリエチレン
テレフタレート（ＰＥＴ）等による厚さ０.５ｍｍ程度の薄厚の合成樹脂シート３に骨組２の形状をレーザカットによる切り抜き加工や合成樹脂の溶融成形等により一体的に加工する。このような加工によって、図１（ａ）の合成樹脂シート３に凧の骨組２を描いたように、後述する糸目ステー４を含む一体形状の骨組２を形成することが可能となる。
【００２５】
このように、本実施例の凧の骨組２は、柔軟性且つ変形後の形状保持性に優れた合成樹脂により形成されているため、従来の凧の張り糸がなくても、凧の曲面の大きさを手作業等によって簡単に変形することができ、曲面の大きさを調整したり、変形後の曲面形状を保持させることが可能である。
【００２６】
また、図１（ａ）に示す本実施例の凧の骨組２は奴凧の形状を有するものであり、予めデザインされた奴凧（図４（ａ）参照）の外形に合わせて、奴凧の頭部の外形に相当する頭部湾曲辺２ａと、奴凧の両袖に相当する袖部湾曲辺２ｂを形成する。また、頭部湾曲辺２ａから下方の外側に向けて湾曲する胴部２ｃの下部で交差する交差部２ｄを形成し、さらに交差部２ｄから両側斜め方向に張出し部２ｅを形成すると共に、交差部２ｄから下方に垂下した奴凧の足部に相当する垂下部２ｆを形成する。
【００２７】
このような骨組２の形状において、本実施例では、図１（ａ）に示すように、骨組２の幅方向の中心であって骨組２の上部の位置から表側に向かって起立可能に形成した細径且つ長尺の糸目ステー４を骨組２と一体の合成樹脂により形成する。即ち、凧１の両翼に相当する袖部湾曲辺２ｂの上部を内方へ水平方向に延長した連結辺２ｇの中心に、凧１の表側に向かって起立可能に形成した細径且つ長尺の糸目ステー４を交差部２ｄの近傍まで垂下した形状に形成する。
【００２８】
このような凧１の骨組２の形状において、いずれの部分も幅０.９ｍｍ程度の細径の骨組２に形成してあり、凧１の全幅は約１０ｃｍ、高さは約１０ｃｍ程度であって、この凧の全体形状が大人の手の平に収まるほどの小型の形状に形成している。なお、この凧１の骨組２の径や凧１の全体の大きさについては、上記の数値に限定されるものではなく、凧１の全体重量と大きさの関係から実際に飛翔可能な数値となるように設定することとなる。
【００２９】
また、本実施例において、図２（ａ）（ｂ）に示す用紙６は、図１（ａ）の骨組２に貼着する奴凧の外形及び絵柄としている。この用紙６は、従来から製図用、扇面用紙、転写用紙に用いられている図引紙を用いるとよい。この図引紙は、今日では、布の裏打ち用や修理用にも使用される和紙であり、極薄且つ軽量であって風圧にも強いものである。なお、上記の骨組２に貼着する用紙６は、上記の図引紙の他にも、薄厚且つ軽量であって風圧に強い和紙やそのほかの紙材を用いてもよい。
【００３０】
また、本実施例では凧の形状を奴凧５（図２（ａ）参照）の形状としているが、他にも角凧や六角凧、さらには他の形状を有する凧にも適用可能である。また、上記の奴凧の骨組２を用いて、用紙６に、図５（ａ）に示すサンタクロース５ａや、図５（ｂ）に示すキューピッド５ｂ、そのほかにも映画の登場人物やアニメーションのキャラクター等の絵柄を描くようにしてもよい。
【００３１】
いずれの絵柄であっても、本実施例の凧１の構造は、上記のように合成樹脂製による骨組２の表面に薄厚の用紙６を貼着した凧１であり、図１（ａ）に示す骨組２に合わせて奴凧５の外形の用紙６（図２（ａ）参照）の表面に奴凧５の絵柄を描くとよい。この時、図２（ｂ）に示すように、用紙６の裏面には絵柄を描く必要はないが、この裏面にも絵柄を描くデザインとすることも可能である。
【００３２】
次に、図３（ａ）（ｂ）に示すように、凧１の用紙６の裏面に骨組２を当てて接着剤で接着し、糸目ステー４の付け根に相当する箇所の用紙６に形成した穴部７から糸目ステー４を抜き出して、凧１の表面側に起立可能にする。
【００３３】
さらに、図３（ａ）（ｂ）に示すように、用紙６には奴凧５の両袖８の形状を四角形に形成してあるが、図４（ａ）（ｂ）に示すように、この両袖８の縁部８ａを骨組２の袖部湾曲辺２ｂに沿って貼着すると、袖部湾曲辺２ｂの湾曲状に曲がった形状である曲り部９に沿って貼り付けられた用紙６の両袖８にはたるみが生じ、このたるみを骨組２の裏面側に袋状に張り出させることによって、両袖８の端部に通風穴１０ａを有する風袋１０とすることが可能となる。
【００３４】
なお、袖部湾曲辺２ｂの湾曲の曲がった形状である曲り部９は、必ずしも湾曲状に曲がっているだけではなく、凧１の絵柄に合わせて直線状の曲り部９を形成してもよく、この場合でも、上記のように通風穴１０ａを有する風袋１０を形成することが可能である。なお、図４（ａ）には、凧糸１１に用いる糸巻１２が図示してあるが、凧糸１１は、例えば♯９０と称せられる型番の微細なミシン糸を用いるのが好ましい。
【００３５】
また、図１（ｂ）に示すように、糸目ステー４の先端に形成した糸止め部４ａの切れ目４ｂは、微小な糸止め部４ａの強度を確保するために、やや斜め方向から糸止め部４ａの中心に向けて切り込まれた切れ目４ｂにより形成されている。
【００３６】
また、図１（ａ）に示すように、骨組２の幅方向の中心であって糸目ステー４の糸止め部４ａの下方の位置、即ち骨組２の左右の胴部２ｃが交差する部位に凧糸１１を通す小径の糸止め穴１３を形成する。このような構成において、図１（ｃ）に示すように、糸止め穴１３に凧糸１１の先端に形成した結び目１４等を係止して凧１の表面側に通過させた凧糸１１を糸止め部４ａの切れ目４ｂに引っ掛ける。これによって、図６（ａ）（ｂ）に示すように、糸止め部４ａの切れ目４ｂに引っ掛けた凧糸１１を指先で上方又は下方に引き、凧糸１１を切れ目４ｂに引っ掛ける位置を変えることによって糸目中心Ｃの位置を調整することが可能となる。
【００３７】
なお、糸目中心Ｃとは、本実施例の場合、図７（ａ）（ｂ）に示すように、凧１の糸止め穴１３から凧１の表側に引き出された凧糸１１が糸目ステー４の先端の切れ目４ｂに引っ掛けられた位置を云うものである。このように、本実施例では、従来の凧において凧糸で構成していた上部の糸目（図１２における糸目２０ａ）の代わりに、骨組２と一体的に形成した糸目ステー４で構成し、上部の糸目（図１２における糸目２０ｂ）は凧１の糸止め穴１３から引き出された凧糸１１で構成することとなる。
【００３８】
また、本実施例では、上記のように糸止め部４ａの切れ目４ｂに引っ掛けた凧糸１１を指先で上方又は下方に引くことで、骨組２に一体的に形成された合成樹脂製の糸目ステー４の傾斜角度β（図７（ａ）（ｂ）参照）が柔軟に変形することにより、凧糸１１の糸目中心Ｃを調整することが可能である。即ち、図７（ａ）に示すように、糸目中心Ｃを下側にとる下糸目の場合、凧１が起き上がった状態（水平に対する傾きαが大の状態）となって風圧Ｗに対する抵抗力が大きくなる。また、図７（ｂ）に示すように、糸目中心Ｃを上側にとる上糸目の場合、凧１が寝た状態（水平に対する傾きαが少の状態）になって、風圧Ｗによる揚力を大きくすることが可能となる。
【００３９】
本実施例の凧１を揚げる際には、図８（ａ）に示すように、凧１の足部に相当する下部の中心を凧１の表側の中央を指でつまんで凧１の表側に隆起する折り目１５を付けることによって、凧１が左右に揺れない安定した飛翔を行うことが可能となる。
【００４０】
また、図８（ｂ）に示すように、凧糸１１の途中であって、上記の下糸目と上糸目の中心となる箇所にマジックインキ等で基準点１６を印しておけば、凧揚げの際の風の強さによって、基準点１６を中心に下糸目と上糸目の調整を容易に行うことが可能となる。
【００４１】
上記のように構成された凧１は、図９に示すように、凧１の用紙６の表面に風圧を受けることによって気流の流れを発生させ、凧１の上方へ作用する抵抗と凧１の下方へ作用する揚力によって上方への飛翔が可能となる。
【００４２】
また、凧１の用紙６の表面に風圧を受けた際の左右のバランスは、上記のように形成した風袋１０の広げ方により左右の通風穴１０aの大きさを調整することで安定した飛翔状態となる。
【００４３】
さらに、図１０に示すように、凧１の飛翔状態が左方向に曲がってしまう場合は、糸目ステー４を付け根から左方向に曲げ、凧１の飛翔状態が右方向に曲がってしまう場合は、糸目ステー４を付け根から右方向に曲げることによって、安定した飛翔状態とすることが可能となる。
【００４４】
また、本実施例の凧１は、上記のように非常に小型に形成することが可能であるため、図１１（ａ）（ｂ）に示すように、小形の容器１７や包装体１８等に入れて販売や保管を行うことが可能である。この場合、円周部１９を有する容器１７又は包装体１８に完成した凧１を収納して、容器１７又は包装体１８の円周部１９の内周に沿って凧１全体を湾曲形状に沿わせることにより、凧１の幅方向に曲面を形成することが可能となる。
【００４５】
従って、容器１７又は包装体１８から凧１を取り出したとき、凧１の幅方向には既に曲面が形成された状態となるため、従来の凧の張り糸が不要となる。また、この凧１を揚げる際の風の強弱に応じて凧１の骨組２を手作業で変形させることで、凧１の曲面の大きさを簡単に調整することができ、凧１を安定した状態で飛翔させることが可能となる。
【産業上の利用可能性】
【００４６】
本発明の凧は、子供でも容易に調整することができる糸目構造を有すると共に張り糸を不要とすることによって凧揚げの操作を簡単にし、スペースの狭い場所でも従来の凧と同様に十分の高さまで飛翔させることができる凧として利用可能である。
【符号の説明】
【００４７】
１  凧
２  骨組
２ａ  頭部湾曲辺
２ｂ  袖部湾曲辺
２ｃ  胴部
２ｄ  交差部
２ｅ  張出し部
２ｆ  垂下部
２ｇ  連結辺
３  合成樹脂シート
４  糸目ステー
４ａ  糸止め部
４ｂ  切れ目
５  奴凧
５ａ  サンタクロース
５ｂ  キューピッド
６  用紙
７  穴部
８  両袖
８ａ  縁部
９  曲り部
１０  風袋
１０ａ  通風穴
１１  凧糸
１２  糸巻
１３  糸止め穴
１４  結び目
１７  容器
１８  包装体
１９  円周部
Ｃ  糸目中心
Ｗ  風（風圧）
α  水平に対する凧の傾き
β  糸目ステーの傾斜角度
【図１】
2016093373.tif 000003
【図２】
2016093373.tif 000004
【図３】
2016093373.tif 000005
【図４】
2016093373.tif 000006
【図５】
2016093373.tif 000007
【図６】
2016093373.tif 000008
【図７】
2016093373.tif 000009
【図８】
2016093373.tif 000010
【図９】
2016093373.tif 000011
【図１０】
2016093373.tif 000012
【図１１】
2016093373.tif 000013
【図１２】
2016093373.tif 000014